(57)【要約】【課題】モニタより一目瞭然にカード読取装置におけるどの差込スリットにメモリ・カードが差し込まれているかのことを識別可能なカード読取装置の差込スリットの状態の表示方法を提供する。【解決手段】コンピュータ・システムがアプリケーション・プログラムをロードするステップ（１）と、アプリケーション・プログラムによってカード読取装置の種類とその差込スリットの数と類型を検出及び判断するステップ（２）と、モニタに前記カード読取装置のすべての差込スリットの対応類型を表示するステップ（３）と、アプリケーション・プログラムによってすべての差し込むスリットの使用状態を検出すると共に、メモリ・カードが差し込まれるかいなかのそれぞれ異なる状態をモニタに表示するステップ（４）とを含む。【選択図】  図３
2004341658.tif 000002
【特許請求の範囲】
【請求項１】
コンピュータ・システムがアプリケーション・プログラムをロードするステップ（１）と、
アプリケーション・プログラムによってカード読取装置の種類とその差込スリットの数と類型を検出及び判断するステップ（２）と、
モニタに前記カード読取装置のすべての差込スリットの対応類型を表示するステップ（３）と、
アプリケーション・プログラムによってすべての差し込むスリットの使用状態を検出すると共に、メモリ・カードが差し込まれるかいなかのそれぞれ異なる状態をモニタに表示するステップ（４）とを有することを特徴とするカード読取装置の差込スリットの状態の表示方法。
【請求項２】
前記アプリケーション・プログラムがドライバー・プログラムであることを特徴とする請求項１に記載のカード読取装置の差込スリットの状態の表示方法。
【請求項３】
それぞれ異なるパターンを表示することによってメモリ・カードが差し込まれているかいなかのそれぞれの状態を表示することを特徴とする請求項１に記載のカード読取装置の差込スリットの状態の表示方法。
【請求項４】
それぞれ異なる色彩を表示することによってメモリ・カードが差し込まれているかいなかのそれぞれの状態を表示することを特徴とする請求項１に記載のカード読取装置の差込スリットの状態の表示方法。
【請求項５】
それぞれ異なるパターンとそれぞれ異なる色彩を表示することによってメモリ・カードが差し込まれているかいなかのそれぞれの状態を表示することを特徴とする請求項１に記載のカード読取装置の差込スリットの状態の表示方法。
【発明の詳細な説明】
【０００１】
【発明の属する技術分野】
本発明は、カード読取装置の差込スリットの状態の表示方法に係わり、特にユーザーがモニタを観覧することによって一目瞭然にカード読取装置のどの差込スリットにメモリ・カードが差し込まれているかの状態を識別できるカード読取装置の差込スリットの状態の表示方法に関する発明である。
【０００２】
【従来の技術】
目前では、デジタル電子製品がつぎつぎへと開発されてゆき、例えば電子カメラやＭＰ３プレーヤーなどの製品が大幅に普遍化されてゆき、画質の高解像度と高いレベルの音質の要求に応じるために、高容量のメモリ・カードを入手する必要があると共に、少なくとも一台のそれぞれの異なる仕様に対応できる、フラッシュ・メモリ・カードを快速的に読み取り及び書き込み可能なカード読取装置を要し、カード読取装置が既にコンピュータの欠かせてはいけない周辺設備の一つとなる。
【０００３】
【発明が解決しようとする課題】
目前では、マーケットにおいて四つ合併一つ式と六つ合併一つ式のカード読取装置が現れ、それらによって快速的にアクセス可能なプラット・ホームを提供できるが、マーケットにおいて数十種以上のそれぞれ異なる仕様のメモリ・カードを有するので、ユーザーがよく対応しがたい感じを生じ、また、カード読取装置がＵＳＢポートを介してマイクロソフト会社のウインドウズ（登録商標）・システムに接続される場合、システムはカード読取装置がいくらぐらいのメモリ・カードをサポートしているかを識別し、且ついくらぐらいの取り外し式ディスク・ドライバーが応用されているかのことを表示し、また、目前のカード読取装置がすべて差し込みスリットの数を報告でき、且つウインドウズ（登録商標）・システムが報告される数をすべて表示し、そのため、ユーザーはどの取り外し式のパターンがどのメモリ・カードの差込スリットを代表しているかのことを識別しがたくなり、特に複数カードの単一のスリット対応のカード読取装置において、差込スリットにおいて待機しているのがどのメモリ・カードであるかことを格別的に識別しにくくなり、且つユーザーもモニタに表示されるパターンより識別しにくくなる。それらの従来のカード読取装置の検出方法は、すべての検出されるサポートしているメモリ・カードを取り外し式ディスク・ドライバーと表示し、ユーザーがこれらの増加される取り外し式ディスク・ドライバーに対し困惑を抱くようになり、且つモニタよりどの差込スリットがどの仕様のメモリ・カードを使用しているかのことを識別しきれなくなってしまう。
【０００４】
【課題を解決するための手段】
前記の従来のカード読取装置の差込スリットの状態の表示方法の生成可能なそれぞれの課題を解消するつもりで、本発明の発明者は研究開発を進め、且つ当該分野における多年間の経験によって、ユーザーがモニタより一目瞭然にカード読取装置におけるどの差込スリットにメモリ・カードが差し込まれているかのことを識別可能なカード読取装置の差込スリットの状態の表示方法を提案する。
【０００５】
そのため、本発明は、モニタより一目瞭然にカード読取装置におけるどの差込スリットにメモリ・カードが差し込まれているかのことを識別可能なカード読取装置の差込スリットの状態の表示方法を提供することをその主要な目的とする。
【０００６】
前記の目的を図るために、本発明は、コンピュータ・システムがアプリケーション・プログラムをロードするステップ（１）と、アプリケーション・プログラムによってカード読取装置の種類とその差込スリットの数と類型を検出及び判断するステップ（２）と、モニタに前記カード読取装置のすべての差込スリットの対応類型を表示するステップ（３）と、アプリケーション・プログラムによってすべての差し込むスリットの使用状態を検出すると共に、メモリ・カードが差し込まれるかいなかのそれぞれ異なる状態をモニタに表示するステップ（４）とを有することを特徴とするカード読取装置の差込スリットの状態の表示方法を提供する。
【０００７】
【発明の実施の形態】
以下に本発明の目的と特徴と機能を解釈するために、添付図面を参照しながら本発明の好適な実施の形態を詳細的に説明する。
【０００８】
図１ないし図３はそれぞれカード読取装置の使用状態を示す説明図と、本発明のステップを示す説明図と、それらのステップのブロック図である。それぞれの図面に示すように、本発明はいずれのカード読取装置１に対しても対応でき、例えば複数カード複数差込スリットと、複数カード一つ差し込みスリットと、一つカード一つ差し込みスリットなど、マーケットにおいて、それぞれのメーカが絶えずに大きい容量を有するメモリ・カードを提出しているが、メモリ・カードに使用されるメモリによって後記のように分類できる。例えば、Ｓ／Ｍカード１１と、ＳＤカード１２と、ＭＳカード１３と、ＣＦカード１４など。図１に示すように、それらはそれぞれ複数カード単一差込スリットを有し、Ｓ／Ｍカード１１とＳＤカード１２とＭＳカード１３の交換使用に供でき、且つ一つカード一つ差し込みスリットを有し、専らＣＦカード１４の使用に供でき、ユーザーがオペレーション・システムにおいて、複数合併一つのカード読取装置１によってイメージ画像ファイルまたはデータ・ファイルの送受信することを読み取る／書き込む場合、カード読取装置１の差込スリット内におけるメモリ・カードが一つまたは一つ以上あり、ユーザーはその場合でモニタの表示する各種のパターンや色彩よりはっきりとどのメモリ・カードがどの差込スリットに差し込まれているかのことを識別でき、困惑と不便さを除くことができ、当該方法は、
システムがスイッチオンされる場合、コンピュータがドライバーまたはアプリケーション・プログラムをロードするステップ（１）２（図２参照）と、
ドライバーまたはアプリケーション・プログラムによってカード読取装置の種類とその差込スリットの数を検出するステップ（２）３と、
検出されたカード読取装置とその差込スリットのサポートするメモリ・カードをモニタに表示するステップ（３）４と、を備える。
【０００９】
前記のそれぞれのステップにおいてさらに下記のような複数の判断フローを有し、例えば、
第一フロー３１：ドライバーまたはアプリケーション・プログラムがある差込スリットにあるメモリ・カードが待機していることを検出する場合、それぞれ異なるパターンまたは色彩によってそれぞれ異なるメモリ・カードを代表し、モニタに表示する。
【００１０】
第二フロー３２：ユーザーが差し込みスリットよりメモリ・カードを取り出す場合に、モニタに直ちに元のメモリ・カードが差し込まれていない状態を代表するパターンまたは色彩を表示する。
【００１１】
第三フロー３３：ドライバーまたはアプリケーション・プログラムが差し込みスリットにメモリ・カードが差し込まれていないことを検出する場合に、モニタにメモリ・カードが差し込まれていない状態を代表するパターンまたは色彩を表示する。
【００１２】
第四フロー３４：ユーザーがメモリ・カードを差し込む場合、前記ドライバーまたはアプリケーション・プログラムが直ちに差し込みスリットの状態の改変のことを検出すると共に、モニタにメモリ・カードが差し込みスリットに差し込まれることを代表するパターンまたは色彩を表示する。
【００１３】
前記の処置によって、本発明はモニタに表示されるディスク・ドライバーを代表するパターンまたは色彩などを変更することによってユーザーにこのディスク・ドライバーにそのようなメモリ・カードが差し込まれているかのことを告知すると共に、いつでも受信することをモニタリングし、システムは装置が変更される度にアラーム・メッセージを表示し、そのため、新しいメモリ・カードがカード読取装置の差込スリットに差し込まれる場合に正確的なパターンを表示できる。
【００１４】
前記に説明した通りに、本発明によるカード読取装置の差込スリットの状況の表示方法による場合、確かに予期した効果を達成できるので、既に発明の要件の技術思想の高度な発明のことに該当するため、法に従って出願を提起するが、ご査察の上、早期に特許を下すよう宜しくお願い致すこと。
【図面の簡単な説明】
【図１】カード読取装置の使用状態を示す説明図である。
【図２】本発明のステップを示す説明図である。
【図３】本発明のステップを示すブロック図である。
【符号の説明】
１    カード読取装置
２    ステップ（１）
３    ステップ（２）
４    ステップ（３）
１１    Ｓ／Ｍカード
１２    ＳＤカード
１３    ＭＳカード
１４    ＣＦカード
３１    第一フロー
３２    第二フロー
３３    第三フロー
３４    第四フロー
【図１】
2004341658.tif 000003
【図２】
2004341658.tif 000004
【図３】
2004341658.tif 000005